(57)【特許請求の範囲】
【請求項１】
遊技盤に設けられた貫通孔と、
前記遊技盤の貫通孔内に設けられ、前記遊技盤の前面から突出する役物と、
前記役物の表面に設けられる透明な導電層と、
前記遊技盤の後面に設けられ、アース接続される導電層を備え、
前記役物の導電層は、前記遊技盤の導電層に直接的に接触することに基づいて電気的に接続されていることを特徴とする遊技機。
【発明の詳細な説明】
【技術分野】
【０００１】
本発明は、遊技盤に導電層が形成された構成の遊技機に関する。
【背景技術】
【０００２】
上記遊技機には、遊技盤の障害釘をアース端子に接続し、パチンコ球の帯電電荷を障害釘からアース端子を通して放出することが考えられている。
【先行技術文献】
【特許文献】
【０００３】
【特許文献１】特開２０００−３３４１２４号公報
【特許文献２】特開平９−１５５０１７号公報
【特許文献３】特開平７−２４１１０号公報
【特許文献４】特開平７−５１４３６号公報
【発明の概要】
【発明が解決しようとする課題】
【０００４】
しかしながら、遊技盤を落下するパチンコ球が接触するのは障害釘だけでなく、役物にも接触する。このため、役物に電荷が溜まり、役物からの放電に基づいてノイズが生じる虞れがある。
【０００５】
本発明は上記事情に鑑みてなされたものであり、その目的は、役物からの放電に基づいてノイズが生じることを防止できる遊技機を提供することにある。
【課題を解決するための手段】
【０００６】
請求項１記載の遊技機は、遊技盤に設けられた貫通孔と、前記遊技盤の貫通孔内に設けられ前記遊技盤の前面から突出する役物と、前記役物の表面に設けられる透明な導電層と、前記遊技盤の後面に設けられアース接続される導電層を備え、前記役物の導電層は前記遊技盤の導電層に直接的に接触することに基づいて電気的に接続されているところに特徴を有する。
【発明の効果】
【０００７】
役物の表面に導電層が形成されているので、パチンコ球の帯電電荷が役物の導電層を通して放出される。このため、役物に電荷が溜まることがなくなるので、役物からの放電に基づいてノイズが生じることが防止される。しかも、役物の表面に透明な導電層が形成されているので、役物の表面の絵柄や色彩が導電層の影響で見えなくなることが防止される。しかも、役物の導電層が遊技盤の導電層に直接的に接触することに基づいて電気的に接続されているので、役物の導電層をアース接続する配線作業が不要になり、製造作業性が向上する。
【図面の簡単な説明】
【０００８】
【図１】本発明の実施例１を示す図（ａは電飾風車を示す前面図、ｂはＸ線に沿う断面図、ｃは外観を示す斜視図）
【図２】（ａ）は機構盤および遊技盤等の外観を示す斜視図、ｂはＸ線に沿う断面図
【図３】メインセット等の外観を示す斜視図
【図４】全体構成を示す後面図
【図５】（ａ）は遊技盤を示す前面図、（ｂ）はＸｂに沿う断面図、（ｃ）はＸｃに沿う断面図
【図６】（ａ）は全体構成を示す前面図、（ｂ）は全体構成を上皿の除去状態で示すＸ視図
【図７】電飾入賞口を示す図（ａは前面図、ｂはＸ線に沿う断面図、ｃは外観を示す斜視図）
【図８】特別図柄始動口を示す図（ａは前面図、ｂはＸ線に沿う断面図、ｃは外観を示す斜視図）
【図９】表示台を示す図（ａは前面図、ｂはＸ線に沿う断面図、ｃは外観を示す斜視図）
【図１０】大入賞口台の外観を示す斜視図（ａは扉の閉鎖状態を示す図、ｂは扉の開放状態を示す図）
【図１１】電気的構成を示すブロック図
【図１２】本発明の実施例２を示す図２の（ａ）相当図
【図１３】本発明の実施例３を示す図２の（ａ）相当図
【図１４】本発明の実施例４を示す図５相当図（ａは遊技盤を示す前面図、ｂはＸｂ線に沿う断面図）
【図１５】図１相当図（ａは電飾風車を示す前面図、ｂはＸ線に沿う断面図）
【発明を実施するための形態】
【０００９】
【実施例１】
【００１０】
以下、本発明の実施例１を図１ないし図１１に基づいて説明する。パチンコホールの台島には、図４に示すように、外枠１が設置されている。この外枠１は前後面が開口する四角筒状をなすものであり、外枠１の左側部には、図６の（ａ）および（ｂ）に示すように、上下端部に位置してヒンジ金具２が固定されている。これら両ヒンジ金具２には前面扉３の垂直な両軸４が回動可能に装着されており、前面扉３の前面には下皿５が固定されている。この前面扉３には下皿５の上方に位置して矩形状の開口部が形成されており、開口部の周縁部には、図６の（ａ）に示すように、金枠３ａが固定されている。
【００１１】
前面扉３の金枠３ａには横長な長方形状の前板６が左側辺部の垂直な軸（図示せず）を中心に回動可能に装着されており、前板６の左側部には払出口７が固定されている。この払出口７は前後面が開口する四角筒状をなすものであり、前板６には払出口７の前方に位置して上皿８が固定され、上皿８内にはパチンコ球Ｐ（図７参照）が貯溜されている。
【００１２】
前面扉３の前面には、図６の（ａ）に示すように、右下部に位置して発射ハンドル９が回動可能に装着されており、前面扉３の後面には、図４に示すように、発射ハンドル９の後方に位置して発射モータ１０が固定されている。この発射モータ１０の回転軸には、図６の（ａ）に示すように、打球機構（図示せず）を介して打球槌１１が連結されており、発射ハンドル９が図６の（ａ）の時計回り方向へ回動操作されたときには発射モータ１０に駆動電源が印加され、打球槌１１が駆動する。
【００１３】
前面扉３の後面には、図２の（ａ）に示すように、保持枠に相当する合成樹脂製の機構盤１２が固定されている。この機構盤１２は矩形状の開口部２９を有する額縁状をなすものであり、機構盤１２には、図６の（ａ）に示すように、球送り機構１３が装着されている。この球送り機構１３は打球槌１１に連動して駆動することに基づいて上皿８内のパチンコ球Ｐを打球槌１１に供給するものであり、打球槌１１は球送り機構１３から供給されるパチンコ球Ｐを叩く。
【００１４】
前面扉３の金枠３ａには矩形状の窓枠１４が左側辺部を中心に回動可能に装着されており、窓枠１４の内周面には透明なガラス窓１５が保持されている。また、前面扉３の右側部には枠鍵１６が装着されており、枠鍵１６は前面扉３を外枠１の前端面に密着した閉鎖状態にロックし、窓枠１４を金枠３ａの内周面に嵌合した閉鎖状態にロックしている。この枠鍵１６には鍵（図示せず）が装備されており、枠鍵１６に鍵を挿入して図６の（ａ）の時計回り方向へ回動操作したときには前面扉３のロックが解除され、図６の（ａ）の反時計回り方向へ回動操作したときには窓枠１４のロックが解除される。
【００１５】
前板６の後面にはロック機構１７が装着されており、ロック機構１７のロック状態では前板６が前面扉３の内周面に嵌合した閉鎖状態にロックされている。このロック機構１７は窓枠１４の開放状態で上方から前板６の後方に手を挿入して操作されるものであり、前板６はロック機構１７をロック状態からアンロック状態に操作することに基づいて開放される。
【００１６】
機構盤１２の開口部２９内には、図５の（ａ）に示すように、遊技盤１８が保持されており、遊技盤１８は窓枠１４のガラス窓１５により前方から覆われている。この遊技盤１８は窓枠１４の開放状態で前方から機構盤１２の開口部２９に対して着脱されるものであり、図５の（ｂ）に示すように、木板１９および装飾シート２０から構成されている。以下、木板１９および装飾シート２０について説明する。
＜木板１９について＞
木板１９はベニヤ板を材料に形成されたものであり、木板１９の前面には、図５の（ｂ）に示すように、全域に渡って下地層２１が形成されている。この下地層２１は木板１９の前面にクリア塗料を吹付けることに基づいて形成された塗膜からなるものであり、木地の凹凸や導管を埋める機能を有している。また、下地層２１の前面には全域に渡って導電層２２が形成されている。この導電層２２は下地層２１の前面にニッケルや鉄を含有する導電塗料を吹付けることに基づいて形成されたものであり、電磁シールドレベルの表面抵抗値を有している。
＜装飾シート２０について＞
セル板２３はセルロイド等の透明な合成樹脂を材料に形成されたものであり、セル板２３の後面には全域に渡って絵柄層２４が形成されている。この絵柄層２４は印刷用の塗料を主成分とするものであり、セル板２３の後面に装飾用の絵柄を形成している。
【００１７】
絵柄層２４の後面には全域に渡って裏打層２５が形成されている。この裏打層２５は絵柄層２４の後面に白色の塗料を吹付けることに基づいて形成されたものであり、裏打層２５の後面には裏紙２６が接着され、裏紙２６は導電層２２に接着されている。尚、符号２７は裏紙２６を導電層２２に接着するための接着剤が硬化してなる接着層を示している。
【００１８】
遊技盤１８の外周面には、図５の（ａ）に示すように、遊技盤側端子に相当する四角筒状の保護枠２８が装着されており、保護枠２８は、図２の（ａ）に示すように、機構盤１２の矩形状の開口部２９内に前方から嵌合されている。この保護枠２８は鋼板を材料に形成されたものであり、保護枠２８の下辺部には、図２の（ａ）に示すように、切起し状の接続端子３０が形成されている。この接続端子３０は、図５の（ｂ）に示すように、木板１９の前面側に挿入され、導電層２２に面接触することに基づいて電気的に接続されている。遊技盤１８は以上のように構成されている。
【００１９】
遊技盤１８の前面には、図５の（ａ）に示すように、複数の障害釘３１が打込まれており、全ての障害釘３１は、図５の（ｂ）に示すように、導電層２２を貫通することに基づいて導電層２２に接触している。これら各障害釘３１は真鍮を材料に形成されたものであり、導電層２２を介して保護枠２８に電気的に接続されている。
【００２０】
遊技盤１８の前面には、図５の（ａ）に示すように、鋼板製の内レール３２が装着されている。この内レール３２は、図５の（ｃ）に示すように、前方から内レール３２のフランジ部３３を通して遊技盤１８に鉄製の複数の釘３４を打込むことに基づいて固定されたものであり、釘３４および導電層２２を介して保護枠２８に電気的に接続されている。
【００２１】
遊技盤１８の前面には、図５の（ａ）に示すように、鋼板製の外レール３５が装着されており、打球槌１１が叩いたパチンコ球Ｐは内レール３２および外レール３５間に沿って上昇し、内レール３２および外レール３５の上端部を通して放出され、障害釘３１に当りながら落下する。この外レール３５は、内レール３２と同様、前方から外レール３５のフランジ部（図示せず）を通して遊技盤１８に複数の釘３４を打込むことに基づいて固定されたものであり、釘３４および導電層２２を介して保護枠２８に電気的に接続されている。
【００２２】
遊技盤１８には左上部および右上部に位置して電飾風車３６が装着され、左下部および右下部に位置して電飾入賞口３７が装着され、両電飾入賞口３７間に位置して特別図柄始動口３８が装着されている。これら電飾風車３６〜特別図柄始動口３８は役物および盤面構成物に相当するものであり、次のように構成されている。
＜電飾風車３６について＞
風車台３９は合成樹脂を材料に形成されたものであり、図１に示すように、前方から風車台３９を通して遊技盤１８に釘３４を打込むことに基づいて固定されている。この風車台３９の表面には、図１に太線で示すように、透明導電層４０が形成されており、風車台３９の透明導電層４０は釘３４および遊技盤１８の導電層２２を介して保護枠２８に電気的に接続されている。この透明導電層４０は酸化錫等の導電性金属を真空蒸着法により蒸着したものであり、膜圧が薄いことから、風車台３９の前面の色彩や模様を視覚的に認識できる程度の透明性を有している。尚、透明導電層４０は静電気散逸レベルの表面抵抗値（＞電磁シールドレベルの表面抵抗値）を有するものでる。
【００２３】
風車台３９には鉄製の軸４１が固定されており、軸４１には合成樹脂製の風車４２が回転可能に装着されている。この風車４２の表面には透明導電層４０が形成されており、風車４２の透明導電層４０は軸４１，風車台３９の透明導電層４０，風車台３９の釘３４，遊技盤１８の導電層２２を介して保護枠２８に電気的に接続されている。
【００２４】
風車台３９の後面にはスペーサ４３を介してランプ基板４４が固定されており、スペーサ４３およびランプ基板４４は遊技盤１８の貫通孔４５内に収納されている。このランプ基板４４には複数の風車ランプ４６が搭載されており、風車台３９および風車４２は風車ランプ４６が発光することに基づいて電飾される。電飾風車３６は以上のように構成されている。
＜電飾入賞口３７について＞
入賞口台４７は合成樹脂を材料に形成されたものであり、図７に示すように、前方から入賞口台４７を通して遊技盤１８に複数の釘３４を打込むことに基づいて固定されている。この入賞口台４７には樋４８が固定されており、樋４８は遊技盤１８の貫通孔４９内に収納されている。
【００２５】
入賞口台４７の前面には合成樹脂製の入賞口ポケット５０が固定されており、パチンコ球Ｐが入賞口ポケット５０内に入賞したときには樋４８を通して後方へ排出される。これら入賞口ポケット５０，樋４８，入賞口台４７の表面には、図７に太線で示すように、透明導電層４０が形成されており、透明導電層４０は釘３４および遊技盤１８の導電層２２を介して保護枠２８に電気的に接続されている。また、入賞口台４７には入賞口ランプ５１が固定されており、入賞口台４７および入賞口ポケット５０は入賞口ランプ５１が発光することに基づいて電飾される。電飾入賞口３７は以上のように構成されている。
＜特別図柄始動口３８について＞
始動口台５２は合成樹脂を材料に形成されたものであり、図８に示すように、前方から始動口台５２を通して遊技盤１８に複数の釘３４を打込むことに基づいて固定されている。この始動口台５２には始動口ポケット５３が一体形成されており、パチンコ球Ｐが始動口ポケット５２内に入賞したときには遊技盤１８の貫通孔５４を通して後方へ排出される。これら始動口ポケット５３および始動口台５２の表面には、図８に太線で示すように、透明導電層４０が形成されており、透明導電層４０は釘３４および遊技盤１８の導電層２２を介して保護枠２８に電気的に接続されている。特別図柄始動口３８は以上のように構成されている。
【００２６】
遊技盤１８には、図５の（ａ）に示すように、図柄表示ユニット５５および大入賞口ユニット５６が装着されている。これら図柄表示ユニット５５および大入賞口ユニット５６は役物および盤面構成物に相当するものであり、次のように構成されている。
＜図柄表示ユニット５５について＞
遊技盤１８には、図９に示すように、表示台５７が嵌合されている。この表示台５７は合成樹脂を材料に形成されたものであり、前方から表示台５７を通して遊技盤１８に複数の釘３４を打込むことに基づいて固定されている。この表示台５７の表面には、図９に太線で示すように、透明導電層４０が形成されており、透明導電層４０は釘３４および遊技盤１８の導電層２２を介して保護枠２８に電気的に接続されている。この表示台５７には開口部５８が形成されており、開口部５８内には、図５の（ａ）に示すように、カラー液晶表示器からなる図柄表示装置５９が嵌合されている。図柄表示ユニット５５は以上のように構成されている。
＜大入賞口ユニット５６について＞
遊技盤１８には大入賞口台６０が装着されている。この大入賞口台６０は合成樹脂を材料に形成されたものであり、図１０に示すように、前方から大入賞口台６０を通して遊技盤１８に複数の釘３４を打込むことに基づいて固定されている。この大入賞口台６０の表面には、図１０にハッチングで示すように、透明導電層４０が形成されており、大入賞口台６０の透明導電層４０は釘３４および遊技盤１８の導電層２２を介して保護枠２８に電気的に接続されている。
【００２７】
大入賞口台６０には四角筒状をなす合成樹脂製の大入賞口６１が固定されており、大入賞口６１は遊技盤１８の貫通孔（図示せず）内に嵌合されている。また、大入賞口台６０には合成樹脂製の扉６２が水平な軸６３（図５のａ参照）を中心に回動可能に装着されており、扉６２の前後両面には、図１０にハッチングで示すように、透明導電層４０が形成されている。
【００２８】
大入賞口台６０の後面には大入賞口ソレノイド６４（図１１参照）が固定されている。この大入賞口ソレノイド６４のプランジャには扉６２が連結されており、大入賞口ソレノイド６４の断電時には、図１０の（ａ）に示すように、扉６２が垂直状態に回動することに基づいて大入賞口６１の前面を閉鎖し、大入賞口ソレノイド６４の通電時には、図１０の（ｂ）に示すように、扉６２が前方へ倒れた水平状態に回動することに基づいて大入賞口６１の前面を開放する。大入賞口ユニット５６は以上のように構成されている。
【００２９】
機構盤１２には、図２の（ａ）および（ｂ）に示すように、保持枠側端子に相当するコ字板状の中継端子６５が固定されており、遊技盤１８の保護枠２８は中継端子６５の上面に接触することに基づいて電気的に接続されている。この中継端子６５の後面には、図２の（ａ）に示すように、リード線６６の接続端子６７が捩子止めされており、リード線６６にはコネクタ６８が接続されている。
【００３０】
遊技盤１８の後面には、図４に示すように、正方形状をなす合成樹脂製のセンタカバー６９が固定されており、センタカバー６９の外周部には矩形枠状のメインセット７０が配設されている。このメインセット７０は合成樹脂を材料に形成されたものであり、メインセット７０の右側辺部には、図３に示すように、上下端部に位置してヒンジ金具７１が捩子止めされている。
【００３１】
前面扉３の後面には、図４に示すように、上下端部に位置して受け金具７２が固定されており、メインセット７０は両ヒンジ金具７１を両受け金具７２に回動可能に装着することに基づいて前面扉３に保持されている。これら前面扉３およびメインセット７０にはフックおよびピン（いずれも図示せず）が装着されており、メインセット７０はフックをピンに引掛けることに基づいてセンタカバー６９の外周部に位置する閉鎖状態にロックされている。
【００３２】
メインセット７０の後面には、図３に示すように、縦長な鋼板製のアース端子７３が固定されており、アース端子７３の後面にはリード線７４の接続端子７５が捩子止めされている。このリード線７４にはコネクタ７６が接続されており、コネクタ７６は、図４に示すように、メインセット７０の後方で機構盤１２側のコネクタ６８に嵌合されることに基づいて電気的に接続されている。
【００３３】
メインセット７０のアース端子７３はリード線（図示せず）を介してパチンコホールの島設備にアース接続されており、障害釘３１と内レール３２と外レール３５は遊技盤１８の導電層２２，保護枠２８，中継端子６５，コネクタ６８，コネクタ７６，アース端子７３を介してアース接続され、電飾風車３６と電飾入賞口３７と特別図柄始動口３８と図柄表示ユニット５５と大入賞口ユニット５６は透明導電層４０が遊技盤１８の導電層２２，保護枠２８，中継端子６５，コネクタ６８，コネクタ７６，アース端子７３を介してアース接続されている。
【００３４】
メインセット７０の後面には、図４に示すように、メイン基板ボックス７７が固定されており、メイン基板ボックス７７内にはメイン制御装置７８（図１１参照）が収納されている。このメイン制御装置７８はマイクロコンピュータを主体に構成されたものであり、メイン制御装置７８には、図１１に示すように、特別図柄始動センサ７９が電気的に接続されている。この特別図柄始動センサ７９はパチンコ球Ｐが特別図柄始動口３８内に入賞することに基づいて始動信号を出力する近接スイッチからなるものであり、メイン制御装置７８は始動信号を検出することに基づいて大当りおよび外れの判定処理，大当り図柄および外れ図柄の設定処理を行う。
【００３５】
センタカバー６９の後面には、図４に示すように、図柄基板ボックス８０が固定されている。この図柄基板ボックス８０内には、図１１に示すように、マイクロコンピュータを主体に構成された図柄制御装置８１が収納されており、図柄制御装置８１はドライブ回路８２を介して図柄表示装置５９に電気的に接続されている。この図柄制御装置８１はメイン制御装置７８に電気的に接続されたものであり、メイン制御装置７８は大当り図柄および外れ図柄の設定結果を図柄制御装置８１に出力する。すると、図柄制御装置８１は図柄表示装置５９に大当り図柄および外れ図柄を表示し、遊技者に大当りおよび外れを知らせる。
【００３６】
大入賞口ソレノイド６４はメイン制御装置７８にドライブ回路８３を介して電気的に接続されており、メイン制御装置７８は図柄表示装置５９に大当り図柄を表示すると、ドライブ回路８３を通して大入賞口ソレノイド６４を駆動し、大入賞口６１の前面を開放することに基づいて大入賞口６１内にパチンコ球Ｐが入賞することを許容する。また、メイン制御装置７８には大入賞口センサ８４が電気的に接続されている。この大入賞口センサ８４は近接スイッチからなるものであり、大入賞口６１内にパチンコ球Ｐが入賞することに基づいてメイン制御装置７８に入賞信号を出力する。
【００３７】
メインセット７０の後面には、図４に示すように、払出基板ボックス８５が固定されており、払出基板ボックス８５内には、図１１に示すように、マイクロコンピュータを主体に構成された払出制御装置８６が収納されている。この払出制御装置８６はメイン制御装置７８に電気的に接続されており、メイン制御装置７８は特別図柄始動センサ７９からの始動信号または大入賞口センサ８４からの入賞信号を検出することに基づいて払出制御装置８６に払出指令を出力する。
【００３８】
メインセット７０の上端部には、図４に示すように、球タンク８７が固定されており、球タンク８７内にはパチンコ球Ｐが貯溜されている。また、メインセット７０には傾斜樋状のタンクレール８８および払出ケース８９が固定されている。この払出ケース８９はタンクレール８８を介して球タンク８７内に接続されており、払出ケース８９内には球タンク８７内からタンクレール８８内を通してパチンコ球Ｐが充填されている。
【００３９】
払出ケース８９内には払出機構が収納されている。この払出機構は払出モータ９０を駆動源とするものであり、払出モータ９０が駆動することに基づいて払出ケース８９内から下方へパチンコ球Ｐを放出する。この払出モータ９０は、図１１に示すように、ドライブ回路９１を介して払出制御装置８６に電気的に接続されており、払出制御装置８６はメイン制御装置７８からの払出指令を検出することに基づいて払出モータ９０を駆動し、払出ケース８９内からパチンコ球Ｐを放出する。
【００４０】
メインセット７０には球通路（図示せず）が形成されている。この球通路は払出ケース８９内を上皿８内および下皿５内に接続するものであり、払出ケース８９内から放出されたパチンコ球Ｐは球通路を通して上皿８内および下皿５内に払出される。
【００４１】
上記実施例１によれば、電飾風車３６，電飾入賞口３７，特別図柄始動口３８，図柄表示ユニット５５，大入賞口ユニット５６に透明導電層４０を形成したので、パチンコ球Ｐの帯電電荷が電飾風車３６等の透明導電層４０を通して放出される。このため、電飾風車３６等に電荷が溜まることがなくなるので、電飾風車３６等からの放電に基づいてノイズが生じることが防止される。しかも、電飾風車３６等の表面の絵柄や色彩が導電層の影響で見えなくなることが防止されるので、見栄えの低下が防止される。
【００４２】
また、遊技盤１８に導電層２２を設けたので、遊技盤１８の障害釘３１が導電層２２を介してアース接続される。このため、障害釘３１に電荷が溜まることがなくなるので、障害釘３１からの放電に基づいてノイズが生じることが防止される。しかも、電飾風車３６等の透明導電層４０を釘３４を介して遊技盤１８の導電層２２に接続したので、透明導電層４０の配線作業が不要になり、製造作業性が向上する。
【００４３】
また、遊技盤１８および機構盤１２に保護枠２８および中継端子６５を装着した。このため、遊技盤１８を機構盤１２に装着すると、保護枠２８が中継端子６５に接触し、電飾風車３６等の透明導電層４０および遊技盤１８の導電層２２が保護枠２８，中継端子６５，アース端子７３を介してパチンコホールの島設備にアース接続されるので、透明導電層４０および導電層２２のアース接続作業が簡単になる。しかも、遊技盤１８を機構盤１２から取外すと、保護枠２８が中継端子６５から離間し、電飾風車３６等の透明導電層４０および遊技盤１８の導電層２２がアース端子７３から切離されるので、透明導電層４０および導電層２２のアース切離作業が簡単になる。
【実施例２】
【００４４】
次に本発明の実施例２を図１２に基づいて説明する。機構盤１２は鋼板を材料に形成されたものであり、機構盤１２の後面にはリード線６６の接続端子６７が捩子止めされ、リード線６６のコネクタ６８はメインセット７０側のコネクタ７６に接続されている。
【００４５】
上記実施例２によれば、遊技盤１８を機構盤１２に装着すると、遊技盤１８の保護枠２８が機構盤１２に接触し、遊技盤１８の導電層２２が保護枠２８，機構盤１２，アース端子７３を介してパチンコホールの島設備にアース接続されるので、アース端子７３に対する接続作業が簡単になる。しかも、遊技盤１８を機構盤１２から取外すと、保護枠２８が機構盤１２から離間し、遊技盤１８の導電層２２がアース端子７３から切離されるので、アース端子７３に対する切離作業が簡単になる。さらに、機構盤１２の中継端子６５が不要になるので、部品点数が削減され、製造作業性が向上する。
【実施例３】
【００４６】
次に本発明の実施例３を図１３に基づいて説明する。遊技盤１８の後面にはリード線９２の接続端子９３が装着されており、リード線９２には遊技盤側コネクタに相当するコネクタ９４が電気的に接続されている。この接続端子９３は接続端子９３を通して遊技盤１８に釘３４を打込むことに基づいて固定されたものであり、釘３４を介して遊技盤１８の導電層２２に電気的に接続されている。
【００４７】
機構盤１２の中継端子６５にはリード線９５の接続端子９６が捩子止めされており、接続端子９６は中継端子６５に電気的に接続されている。このリード線９５には保持枠側コネクタに相当するコネクタ９７が電気的に接続されており、コネクタ９７は遊技盤１８側のコネクタ９４に電気的に接続されている。
【００４８】
上記実施例３によれば、遊技盤１８側のコネクタ９４を機構盤１２側のコネクタ９７に嵌合すると、遊技盤１８の導電層２２がコネクタ９４，コネクタ９７，中継端子６５，アース端子７３を介してアースに接続されるので、アース端子７３に対する接続作業が簡単になる。しかも、遊技盤１８側のコネクタ９４を機構盤１２側のコネクタ９７から取外すと、遊技盤１８の導電層２２がアース端子７３から切離されるので、アース端子７３に対する切離作業が簡単になる。さらに、コネクタ９４およびコネクタ９７間の嵌合力で導電層２２およびアース端子７３間が接続状態に保持されるので、導電層２２およびアース端子７３間の接続不良が起り難くなり、電気的な信頼性が向上する。
【００４９】
尚、上記実施例３においては、合成樹脂製の機構盤１２を用いたが、これに限定されるものではなく、例えば鋼板製の機構盤１２を用いても良い。この場合、リード線６６の接続端子６７およびリード線９５の接続端子９６を機構盤１２に捩子止め等することに基づいて電気的に接続すると良い。
【実施例４】
【００５０】
次に本発明の実施例４を図１４および図１５に基づいて説明する。遊技盤１８の前面には、図１４に示すように、全域に渡って透明導電層４０が形成されており、全ての障害釘３１，内レール３２，外レール３５は遊技盤１８の透明導電層４０に接触することに基づいて電気的に接続されている。
【００５１】
保護枠２８の前面には切起し状の接続端子３０が一体形成されている。この接続端子３０は遊技盤１８の透明導電層４０に前方から接触しており、遊技盤１８の透明導電層４０は接続端子３０，保護枠２８，機構盤１２の中継端子６５，メインセット７０のアース端子７３を介してパチンコホールの島設備にアース接続されている。
【００５２】
電飾風車３６，電飾入賞口３７，特別図柄始動口３８，図柄表示ユニット５５，大入賞口ユニット５５の透明導電層４０は、図１５に電飾風車３６を代表して示すように、遊技盤１８の透明導電層４０の表面に直接的に接触することに基づいて電気的に接続されており、遊技盤１８の透明導電層４０，保護枠２８等を介してパチンコホールの島設備にアース接続されている。
【００５３】
上記実施例４によれば、電飾風車３６等の透明導電層４０を遊技盤１８の透明導電層４０に直接的に接触させることに基づいて電気的に接続したので、電飾風車３６等の透明導電層４０の配線作業が不要になり、製造作業性が向上する。しかも、遊技盤１８の前面に透明導電層４０を形成した。このため、遊技盤１８の絵柄や色彩が導電層の影響で見えなくなることがなくなるので、見栄えの低下が防止される。さらに、電飾風車３６等の透明導電層４０が遊技盤１８の透明導電層４０に直接的に接触する上に釘３４を介して接触するので、両透明導電層４０間の電気的な接触面積が増える。
【００５４】
尚、上記実施例４においては、電飾風車３６等の透明導電層４０および遊技盤１８の透明導電層４０を保護枠２８および中継端子６５を介してメインセット７０のアース端子７３に電気的に接続したが、これに限定されるものではなく、例えば本発明の実施例２のように、保護枠２８および鋼板製の機構盤１２を介してアース端子７３に接続したり、本発明の実施例３のように、コネクタ９４および９７等を介してアース端子７３に接続しても良い。
【００５５】
また、上記実施例１ないし実施例４においては、遊技盤１８の内部に導電層２２を形成したり、遊技盤１８の前面に透明導電層４０を形成したが、これに限定されるものではなく、例えば遊技盤１８の後面に導電層２２または透明導電層４０を形成しても良い。
【００５６】
また、上記実施例１ないし実施例４においては、電飾風車３６等の役物を釘３４により遊技盤１８に固定したが、これに限定されるものではなく、例えば導電性の捩子により遊技盤１８に固定し、役物の透明導電層４０を捩子を介して遊技盤１８の導電層２２または透明導電層４０に電気的に接続しても良い。
【００５７】
また、上記実施例１ないし実施例４においては、アース端子７３をメインセット７０に固定したが、これに限定されるものではなく、例えば前面扉３の後面に固定しても良い。
また、上記実施例１ないし実施例３においては、大当りの発生に連動して大当り動作が行われる１種のパチンコ機に本発明を適用したが、これに限定されるものではなく、２種のパチンコ機または３種のパチンコ機に適用しても良い。前者の２種のパチンコ機はパチンコ球が入賞口に入賞することに基づいて電動式の役物が開放されるものであり、役物の開放時に役物内の特別入賞口内にパチンコ球が入球することに基づいて大当り動作が行われる。後者の３種のパチンコ機は大当りの発生に連動して特別入賞口が開放されるものであり、特別入賞口の開放時に特別入賞口内にパチンコ球が入球することに基づいて大当り動作が行われる。
【００５８】
上記実施例には特許請求の範囲に記載された発明に加えて次の［発明１］〜［発明６］が記載されている。
［発明１］
遊技盤に設けられ遊技盤の前面から突出する役物を備え、前記役物の表面には透明な導電層が形成され、前記役物の導電層はアース接続されていることを特徴とする遊技機。この発明１によれば、パチンコ球の帯電電荷が役物の導電層を通して放出される。このため、役物に電荷が溜まることがなくなるので、役物からの放電に基づいてノイズが生じることが防止される。しかも、役物の表面に透明な導電層が形成されているので、役物の表面の絵柄や色彩が導電層の影響で見えなくなることが防止される。
［発明２］
前記遊技盤にはアース接続される導電層が設けられ、前記役物の導電層は前記役物を前記遊技盤に固定する導電性の釘または捩子を介して前記遊技盤の導電層に電気的に接続されていることを特徴とする発明１に記載の遊技機。この発明２によれば、遊技盤の障害釘が遊技盤の導電層を介してアース接続される。このため、障害釘に電荷が溜まることがなくなるので、障害釘からの放電に基づいてノイズが生じることが防止される。しかも、役物の導電層が釘または捩子を介して遊技盤の導電層に接続されているので、役物の導電層をアース接続する配線作業が不要になり、製造作業性が向上する。
［発明３］
前記遊技盤の前面にはアース接続される透明な導電層が設けられ、前記役物の導電層は前記遊技盤の導電層に直接的に接触することに基づいて電気的に接続されていることを特徴とする発明１または２に記載の遊技機。この発明３によれば、遊技盤の障害釘が遊技盤の導電層を介してアース接続される。このため、障害釘に電荷が溜まることがなくなるので、障害釘からの放電に基づいてノイズが生じることが防止される。しかも、役物の導電層が遊技盤の導電層に直接的に接触することに基づいて接続されているので、役物の導電層をアース接続する配線作業が不要になり、製造作業性が向上する。さらに、遊技盤の前面に透明な導電層が設けられているので、遊技盤の絵柄や色彩が導電層の影響で損なわれることが防止される。
［発明４］
前記遊技盤に設けられ前記遊技盤の導電層に電気的に接続された遊技盤側端子と、前記遊技盤を保持する保持枠と、前記保持枠に設けられ前記遊技盤を前記保持枠に装着することに基づいて前記遊技盤側端子に電気的に接続される保持枠側端子とを備え、前記遊技盤の導電層は前記遊技盤側端子および前記保持枠側端子を介してアース接続されていることを特徴とする発明２または３に記載の遊技機。この発明４によれば、遊技盤を保持枠に装着すると、遊技盤側端子が保持枠側端子に接触し、役物の導電層および遊技盤の導電層が遊技盤側端子，保持枠側端子を介してアースに接続されるので、両導電層のアース接続作業が簡単になる。しかも、遊技盤を保持枠から取外すと、遊技盤側端子が保持枠側端子から離間し、役物の導電層および遊技盤の導電層がアースから切離されるので、両導電層のアース切離作業が簡単になる。
［発明５］
前記遊技盤を保持する導電性の保持枠と、前記遊技盤に設けられ前記遊技盤を前記保持枠に装着することに基づいて前記保持枠に電気的に接続される遊技盤側端子とを備え、前記遊技盤の導電層は前記遊技盤側端子および前記保持枠を介してアース接続されていることを特徴とする発明２または３に記載の遊技機。この発明５によれば、遊技盤を保持枠に装着すると、遊技盤側端子が保持枠に接触し、役物の導電層および遊技盤の導電層が遊技盤側端子，保持枠を介してアース接続されるので、両導電層のアース接続作業が簡単になる。しかも、遊技盤を保持枠から取外すと、遊技盤側端子が保持枠から離間し、役物の導電層および遊技盤の導電層がアースから切離されるので、両導電層のアース切離作業が簡単になる。さらに、保持枠側端子が不要になるので、部品点数が削減され、製造作業性が向上する。
［発明６］
前記遊技盤に設けられ前記遊技盤の導電層に電気的に接続された遊技盤側コネクタと、前記遊技盤を保持する保持枠と、前記保持枠に設けられ前記遊技盤側コネクタに電気的に接続される保持枠側コネクタとを備え、前記遊技盤の導電層は前記遊技盤側コネクタおよび前記保持枠側コネクタを介してアース接続されていることを特徴とする発明２または３に記載の遊技機。この発明６によれば、遊技盤側コネクタを保持枠側コネクタに接続すると、役物の導電層および遊技盤の導電層が遊技盤側コネクタ，保持枠側コネクタを介してアース接続されるので、両導電層のアース接続作業が簡単になる。しかも、遊技盤側コネクタを保持枠側コネクタから取外すと、役物の導電層および遊技盤の導電層がアースから切離されるので、両導電層のアース切離作業が簡単になる。さらに、コネクタ間の機械的な接続力で両導電層がアース接続状態に保持されるので、接続不良が起り難くなり、電気的な信頼性が向上する。
【符号の説明】
【００５９】
１２は機構盤（保持枠）、１８は遊技盤、２２は導電層、２８は保護枠（遊技盤側端子）、３４は釘、３６は電飾風車（役物）、３７は電飾入賞口（役物）、３８は特別図柄始動口（役物）、４０は透明導電層（導電層）、５５は図柄表示ユニット（役物）、５６は大入賞口ユニット（役物）、６５は中継端子（保持枠側端子）、９４はコネクタ（遊技盤側コネクタ）、９７はコネクタ（保持枠側コネクタ）を示す。
【図１】
0004441694.tif 000002
【図２】
0004441694.tif 000003
【図３】
0004441694.tif 000004
【図４】
0004441694.tif 000005
【図５】
0004441694.tif 000006
【図６】
0004441694.tif 000007
【図７】
0004441694.tif 000008
【図８】
0004441694.tif 000009
【図９】
0004441694.tif 000010
【図１０】
0004441694.tif 000011
【図１１】
0004441694.tif 000012
【図１２】
0004441694.tif 000013
【図１３】
0004441694.tif 000014
【図１４】
0004441694.tif 000015
【図１５】
0004441694.tif 000016